(57)【要約】【課題】側方が開口しており、該開口に側板を取り外し可能に設けるプラスチック製の運搬用容器であって、側壁の内面に側板を係合させるための突起等が形成されず、邪魔となるものをなくして、物品の出し入れが常にスムースにできるようにする。【解決手段】底板２から垂直に起立することにより相対するように設けられた一対の側壁３を具備する容器本体１と、該容器本体の側方開口縁に着脱自在に装着される側板５とからなる運搬用容器であり、側板の両側縁部の内面に縦方向に連なる摺動溝７を形成するとともに、該摺動溝の外縁に係合片８を該摺動溝中に折り返し状なるように形成し、前記側壁の端面２０には前記係合片が遊嵌する導入口２１を該側壁の外側面に亘って開口するように開設し、該導入口の奥部から下方に該係合片がスライドする係合溝２２を該側壁の外側面に開口するように形成してなる。【選択図】  図５
2004345670.tif 000002
【特許請求の範囲】
【請求項１】
底板から垂直に起立することにより相対するように設けられた一対の側壁を具備する容器本体と、該容器本体の側方開口縁に着脱自在に装着される側板とからなる運搬用容器であり、側板の両側縁部の内面に縦方向に連なる摺動溝を形成するとともに、該摺動溝の外縁に係合片を該摺動溝中に折り返し状なるように形成し、前記側壁の端面には前記係合片が遊嵌する導入口を該側壁の外側面に亘って開口するように開設し、該導入口の奥部から下方に該係合片がスライドする係合溝を該側壁の外側面に開口するように形成してなることを特徴とした運搬用容器。
【請求項２】
導入口の天井面を奥部に行くに従って高くなる傾斜面状に形成したことを特徴とする請求項１に記載の運搬用容器。
【請求項３】
摺動溝の内縁に上部係合片を該摺動溝中に突出状なるように形成し、側壁の上端部に該上部係合片が嵌合する縦溝を形成してなることを特徴とした請求項１または２に記載の運搬用容器。
【発明の詳細な説明】
【０００１】
【発明の属する技術分野】
本発明は、種々の物品が収納されるプラスチック製の有低角筒状の運搬用容器に関し、さらに詳しくは、その側方が開口しており、該開口に側板を取り外し可能に設ける構造に関するものである。
【０００２】
【従来の技術】
【特許文献１】
実開昭６３−１４７４２６号公報
【特許文献２】
特開平７−２５７５７１号公報
【０００３】
少なくとも一側壁が開口しており、該開口に側板を取り外し可能に設けてなる運搬用容器は、上記特許文献１により従来から知られている。また、折り畳み可能に構成された運搬用容器で、その側板を取り外し可能に設けたものは上記特許文献２により知られている。これらの運搬用容器は、多段に積み重ねた場合でも、その開口から物品を出し入れできる利点がある。
【０００４】
【発明が解決しようとする課題】
ところで、上記特許文献１に記載された運搬用容器は、側板を取り外し可能に係合させるための突起を開口の内縁に形成してなるものであった。このため、この突起が容器内に物品を出し入れする際の邪魔になるという問題がある。
また、上記特許文献２に記載された運搬用容器は、側板にコイルバネ等の弾性体により付勢した係合部を設け、つまみ部を操作することで該係合部が該側板の端面から出入するように構成され、側板を取り外し可能に係合するものであった。このため、構造が複雑となり、製造コストが高くなるという問題がある。
【０００５】
そこで本発明は、側板を取り外し可能に構成した従来のこれらの運搬用容器の問題点を解消しようとするものである。
【０００６】
【課題を解決するための手段】
そのために本発明の運搬用容器は、底板から垂直に起立することにより相対するように設けられた一対の側壁を具備する容器本体と、該容器本体の側方開口縁に着脱自在に装着される側板とからなる運搬用容器であり、側板の両側縁部の内面に縦方向に連なる摺動溝を形成するとともに、該摺動溝の外縁に係合片を該摺動溝中に折り返し状なるように形成し、前記側壁の端面には前記係合片が遊嵌する導入口を該側壁の外側面に亘って開口するように開設し、該導入口の奥部から下方に該係合片がスライドする係合溝を該側壁の外側面に開口するように形成してなることを特徴とする。
このため、側壁の内面に係合のための凹凸等が形成されず、物品をスムースに出し入れできるようになる。
【０００７】
また本発明は上記運搬用容器において、導入口の天井面を奥部に行くに従って高くなる傾斜面状に形成したことを特徴とする。
このため、側板が真上に持ち上げられると係合片が該天井面に当たって奥方向にガイドされ、側板が前に外れ難くなる。
【０００８】
また本発明は上記運搬用容器において、摺動溝の内縁に上部係合片を該摺動溝中に突出状なるように形成し、側壁の上端部に該上部係合片が嵌合する縦溝を形成してなることを特徴とする。
このため、側板の取り付け状態が一層堅固なものとなる。
【０００９】
【発明の実施の形態】
次に図面に従い本発明の実施の形態を説明する。図１は本発明に係るプラスチック製の運搬用容器の斜視図、図２はこの運搬用容器の容器本体の斜視図、図３はこの運搬用容器の側板の外面の斜視図、図４はこの側板の内面の斜視図である。図２に示されるように、容器本体１は長方形状の底板２の両長側辺に一対の長方形状の側壁３が垂直に起立するように一体に形成され、該容器本体１の両側方は開口している。４は該側壁３の外面に形成された補強リブである。また、図１，図３，図４に示したように、５は該容器本体１の側方開口縁に着脱自在に装着される長方形状の側板である。６は該側板５の外面に形成された補強リブである。
【００１０】
側板５は、両側縁部の内面に縦方向に連なる摺動溝７を形成するとともに、該側板５の下部で該摺動溝の外縁に夫々係合片８を該摺動溝中に折り返し状なるように形成している。なお、９は射出成形により該係合片８を形成するために該摺動溝の底部に必然的に形成される透孔である。また、１０は該摺動溝７の上部内縁に該摺動溝中に突出状なるように形成された鉤状の上部係合片、１１は射出成形により該上部係合片１０を形成するために該摺動溝の底部に必然的に形成される透孔である。なお、該摺動溝７の下部は下方に開放状であり、上部は水平部１２により閉鎖され、該水平部の先端には鉤状部１３が形成されている。また、側板５の下端縁にはクサビ状の一対の突片１４および一対の突片１５が形成されている。
【００１１】
一方、容器本体１は、図２に示されるように、容器本体１の側壁３の端面２０に前記係合片８が遊嵌し得る導入口２１を該側壁の外側面に亘って開口するように開設し、該導入口の奥部から下方に連なるように係合溝２２を該側壁の外側面に開口するように形成し、前記係合片８が該係合溝をスライドし得るようにしている。なお、導入口２１の天井面２３は奥部に行くに従って高くなる傾斜面状に形成する。また、２４は側壁３の端縁の上端部に前記上部係合片１０が嵌合し得るように形成された縦溝である。また、２５は側壁３の上辺の両端縁寄りに形成された凹部、２６は側壁３の上辺に形成された係止孔である。また、２７，２８は底板２の両端縁部上面に形成された係合孔である。
【００１２】
この運搬用容器では、側板５を取り付けるに際し、図５に示したように、容器本体１の側壁３の端面２０が側板５の摺動溝７内に入るように導入口１６に係合片８を遊嵌し、この状態で該側板５を下げて図６に示したように該係合片８を係合溝１７中にスライドさせ係合させる。このとき、上部係合片１０は縦溝２４中に嵌合し、突片１４は係合孔２７に嵌合し、突片１５は係合孔２８に嵌合し、鉤状部１３は凹部２５中に遊嵌する。このように側板５は側壁３の外側面にて係合片８を係合溝１７に係合させていることから、該側壁３の下部内面に係合のための凹凸が形成されることなく、物品をスムースに出し入れすることができる。しかも、該側壁３の端縁が側板５の両側縁部に包持されることから、該側板５を取り付けることにより該側壁３が補強され堅固になる。
【００１３】
また、側板５を中間高さにある導入口１６に係合片８を遊嵌させてから下方にスライドさせて取り付けられるので、プラスチック成形上のやむを得ない変形から両側壁３の間隔の寸法精度が悪くても、容易に取り付け得るようになる。言い換えれば、変形量が比較的少ない中間高さ部分の導入口１６に係合片８を先に遊嵌させてから該係合片８を下に移動させることで取り付けられるので、常に側板の取り付けは容易となる。
また、容器本体および側板をプラスチックにより夫々一体に成形することができ、部品点数も極めて少なく構成されるので製造コストを軽減できる。
【００１４】
また、側板５を上に持ち上げることにより係合片８は係合溝１７から離脱し、上部係合片１０は縦溝２４から抜け出るので、係合片８を導入口１６から出すことにより側板５を簡単に取り外すことができる。なお、取り外した側板５は前記係止孔２６に鉤状部１３を引っ掛けておくことにより、側壁３の外側面に重合させて置くこともできる。
【００１５】
また、導入口２１の天井面２３を奥部に行くに従って高くなる傾斜面状に形成したことから、図１０に示したように、側板５が真上に持ち上げられると係合片８が該天井面２３に当たって奥方向にガイドされ、側板５が前に外れることがない。このため、運搬時に作業者が側板５を誤って持ち上げてしまっても、容易に側板５が外れることはなく、安全性が増す。
【００１６】
なおこの実施形態では各摺動溝７に係合片８が１つだけ形成されたものを説明したが、さらに高さのある容器では係合片８を上下に適宜間隔で複数形成し、導入口２１および係合溝２２をそれに応じて複数形成することにより、側板の取り付け状態をより堅固なものとすることができる。
【００１７】
またこの実施形態では容器本体の側壁が底板と一体に形成されたものについて説明したが、本発明は側壁が底板上に折り畳み可能に設けられた容器にも適用することができる。
またこの実施形態では２つの側壁が開口したものを説明したが、本発明は一側壁が開口した容器に適用できることは言うまでもない。
【００１８】
【発明の効果】
このように本発明の運搬用容器は、側板の両側縁部の内面に縦方向に連なる摺動溝を形成するとともに、該摺動溝の外縁に係合片を該摺動溝中に折り返し状なるように形成し、容器本体の側壁の端面には前記係合片が遊嵌する導入口を該側壁の外側面に亘って開口するように開設し、該導入口の奥部から下方に該係合片がスライドする係合溝を該側壁の外側面に開口させたので、側壁の内面に係合のための突起等が形成されず、邪魔となるものがないので物品の出し入れがスムースになり、しかも、取り付け状態では側壁の端縁が側板の両側縁部に包持されることから堅固になり、さらには、構造が簡単で製造コストが軽減されるなど有益な効果がある。
【図面の簡単な説明】
【図１】本発明に係る運搬用容器の実施形態を示す外観斜視図。
【図２】図１の運搬用容器の容器本体の斜視図。
【図３】図１の運搬用容器の側板の外面の斜視図。
【図４】図１の運搬用容器の側板の内面の斜視図。
【図５】図１の運搬用容器の側板の取り付け途中の要部の縦断面図。
【図６】図１の運搬用容器のＡ−Ａ線断面図。
【図７】図１の運搬用容器のＢ−Ｂ線断面図。
【図８】図１の運搬用容器のＣ−Ｃ線断面図。
【図９】図１の運搬用容器のＤ−Ｄ線断面図。
【図１０】図１の運搬用容器の側板が上に持ち上げられたときの要部の縦断面図。
【符号の説明】
１    容器本体
２    底板
３    側壁
５    側板
７    摺動溝
８    係合片
１０  上部係合片
２０  端面
２１  導入口
２２  係合溝
２３  天井面
２４  縦溝
【図１】
2004345670.tif 000003
【図２】
2004345670.tif 000004
【図３】
2004345670.tif 000005
【図４】
2004345670.tif 000006
【図５】
2004345670.tif 000007
【図６】
2004345670.tif 000008
【図７】
2004345670.tif 000009
【図８】
2004345670.tif 000010
【図９】
2004345670.tif 000011
【図１０】
2004345670.tif 000012